(57)【要約】【課題】簡易な構造で、照明空間側の出射効率を向上させ、延いては光源から出射された光の利用効率を向上させ得る照明装置及び照明システムを提供する。【解決手段】照明モジュール１は、ＬＥＤ４と、互いに対向する第１の面２ａ及び第２の面２ｂを有してＬＥＤ４から出射された光を導光して第１の面２ａ及び第１の面２ａから出射する導光板２とを備えている。導光板２の第１の面２ａには、導光板２の内部にて導光される光を取り出すための光取り出し構造である複数の光反射パターン８が散在して設けられている。【選択図】図１
2014049260.tif 000002
【特許請求の範囲】
【請求項１】
光源と、互いに対向する第１の面及び第２の面を有して上記光源から出射された光を導光して該第１の面及び第２の面から出射する導光部材とを備えた照明装置において、
上記導光部材の第１の面には、該導光部材の内部にて導光される光を取り出すための光取り出し構造である複数の光反射部が散在して設けられていることを特徴とする照明装置。
【請求項２】
前記光反射部は、反射率が６０％以上であることを特徴とする請求項１記載の照明装置。
【請求項３】
前記光反射部は、光反射性の粒子を含むインク塗膜、光反射性の粒子を含む白色塗膜、光反射性の金属膜、又は光反射性のプラスチック材料からなっていることを特徴とする請求項１又は２記載の照明装置。
【請求項４】
前記各光反射部の平面の大きさは、最大寸法１．２ｍｍ以下であることを特徴とする請求項１，２又は３記載の照明装置。
【請求項５】
前記光反射部における導光部材への被覆率は、２０％以下であることを特徴とする請求項１〜４のいずれか１項に記載の照明装置。
【請求項６】
請求項１〜５のいずれか１項に記載の照明装置を備えた照明システムであって、
上記照明装置は、照明の主対象となる照明空間と、該照明空間以外の空間である非照明空間とを仕切るように配置されており、
導光部材の第１の面は、上記非照明空間に対向している一方、
上記導光部材の第２の面は、上記照明空間に対向していることを特徴とする照明システム。
【請求項７】
前記照明装置は、建造物の窓に取り付けられる窓照明装置として機能するものであり、
前記照明空間は、建造物の内部に設けられた部屋の室内であり、
前記非照明空間は、上記部屋の室外であることを特徴とする請求項６記載の照明システム。
【発明の詳細な説明】
【技術分野】
【０００１】
本発明は、光源から出射された光を導光する導光部材を備えた照明装置及び照明システムに関するものである。
【背景技術】
【０００２】
ＬＥＤ（Light Emitting Diode：発光ダイオード）は電力消費が少なく長寿命であることから、電球を用いた照明装置に代えてＬＥＤを用いた照明装置が開発されている。
【０００３】
このような照明装置の一例として、特許文献１に開示された照明装置が知られている。
【０００４】
上記特許文献１に開示された照明装置１００は、図７（ａ）に示すように、天窓１０１と、光源１０２に隣接して配設され、かつ側面から入射された光源１０２からの光と天窓１０１を介して入射された太陽光Ｌ１・Ｌ２とをその下方（天窓１０１とは反対側）に出射する導光板１１０とを有している。これにより、導光板１１０を照明部材及び採光部材として機能させることができるようになっている。
【０００５】
また、特許文献２に開示された両面発光装置２００では、図８に示すように、天窓と対向する面（上面）側にのみ凹状又は凸状のパターン２０１が形成された導光板２１０が用いられることが開示されている。このパターン２０１は半透過反射フィルムからなっている。
【先行技術文献】
【特許文献】
【０００６】
【特許文献１】特開２０１２−４９０５０号公報（２０１２年３月８日公開）
【特許文献２】特開２００７−４８６３６号公報（２００７年２月２２日公開）
【発明の概要】
【発明が解決しようとする課題】
【０００７】
しかしながら、上記従来の特許文献１に開示された照明装置１００では、導光板１１０の側面から光を入射させた場合、導光板１１０から出射される光の光量は、屋外を向いた面（天窓側つまり上方）及び屋内を向いた面（下方）の両面で略同じとなる。したがって、光源１０２から出射された光を屋内照明として利用できる割合は、光源１０２から出射された光の光量の半分以下になってしまい、当該光の利用効率が低下してしまうことになる。
【０００８】
また、光源１０２から出射された光における導光板１１０の下方への出射効率を向上させる場合には、図７（ｂ）に示すように、導光板１１０の上面側に凹状又は凸状のパターン１１１といった複雑な構造を形成する必要があるため、導光板１１０の構造が複雑化してしまう。
【０００９】
それゆえ、上記照明装置１００では、簡易な構造で、光源１０２から出射された光における、導光板１１０の所定の方向（導光板１１０の片面側）への出射効率を向上させることは困難であるという問題点を有している。
【００１０】
一方、特許文献２に開示された両面発光装置２００では、半透過反射フィルムを積層することにより、導光板２１０の光出射面各二面からの光量比を制御する構造が開示されている。
【００１１】
しかしながら、液晶パネルを介した表示装置であれば、透過性の液晶パネルのバックライトとして機能するため問題とはならないが、可視光域における光吸収の波長依存性によって色付きが生じ、品位の低下が懸念される。
【００１２】
本発明は、上記従来の問題点に鑑みなされたものであって、その目的は、簡易な構造で、照明空間側の出射効率を向上させ、延いては光源から出射された光の利用効率を向上させ得る照明装置及び照明システムを提供することにある。
【課題を解決するための手段】
【００１３】
本発明の照明装置は、上記課題を解決するために、光源と、互いに対向する第１の面及び第２の面を有して上記光源から出射された光を導光して該第１の面及び第２の面から出射する導光部材とを備えた照明装置において、上記導光部材の第１の面には、該導光部材の内部にて導光される光を取り出すための光取り出し構造である複数の光反射部が散在して設けられていることを特徴としている。
【００１４】
上記の発明によれば、照明装置は、光源と、互いに対向する第１の面及び第２の面を有して上記光源から出射された光を導光して該第１の面及び第２の面から出射する導光部材とを備えている。このため、導光部材を導光する光は、導光部材の表面に略平行方向に進行し、導光部材の表面で全反射を繰り返して導光部材中を進行する。そして、第１の面に設けられた光取り出し構造によって全反射条件が崩れ、第２の面から出射される。
【００１５】
ここで、光取り出し構造は、導光する光の光路を変換して導光部材の外部に光を取り出す構造のことである。例えば、光取り出し構造を導光部材の１つの表面である第１の面に透明性の高い凹凸にて形成した場合、光取り出し構造での散乱により光路が変換され、反対側の面である第２の面から光を取り出すことができる。このとき、同時に全反射条件が崩れることから、光取り出し構造の部分を透過して、１つの表面である第１の面にも光が漏洩する問題が発生する。この問題は、液晶表示装置のように光反射部の裏面つまり第１の面に対向して全面光反射板を配置可能な場合は問題とならない。しかし、窓照明の場合は、シースルー性を確保する必要があることから、全面光反射板を導光部材の裏面である第１の面に配置することができず、第１の面への光利用率が低下する問題が発生する。
【００１６】
そこで、本発明では、光取り出し構造である複数の光反射部を導光部材の１つの表面つまり裏面である第１の面に散在して設けて、光取り出し構造に反射性を持たせている。これにより、光が光取り出し構造を透過して導光部材の１つの表面つまり裏面である第１の面に漏洩することなく、効率よく第２の面から光出射することができる。
【００１７】
すなわち、光り取り出し構造を複数の散在する光反射部とすることによって、光取り出し構造の面積当たりの光取り出し量を増加させ、光取り出し構造のサイズを小さくすることができる。この結果、光取り出し構造がない部分の面積を広くとることができるため、シースルー性を向上させることができる。
【００１８】
したがって、簡易な構造で、光源から出射された光の所定の方向への出射効率を向上させ得る照明装置を提供することができる。
【００１９】
本発明の照明装置では、前記光反射部は、反射率が６０％以上であることが好ましい。
【００２０】
これにより、光の反射率が６０％以上のときに、導光部材の裏面である第１の面への光漏れの量よりも表面である第２の面への光出射量が大きくなり、光利用率が向上する。
【００２１】
本発明の照明装置では、前記光反射部は、光反射性の粒子を含むインク塗膜、光反射性の粒子を含む白色塗膜、光反射性の金属膜、又は光反射性のプラスチック材料からなっていることが好ましい。
【００２２】
これにより、簡単な構成にて光取り出し構造を形成することができる。また、塗料を吹き付けたり、又は金属膜若しくはプラスチック材料を貼り付けたりするだけでよいので、施工も容易である。
【００２３】
本発明の照明装置では、前記各光反射部の平面の大きさは、最大寸法１．２ｍｍ以下であることが好ましい。
【００２４】
上述したように、光り取り出し構造を複数の光反射部とすることによって、光取り出し構造の面積当たりの光取り出し量を増加させ、光取り出し構造のサイズを小さくすることができる。この場合、各光反射部の平面の大きさは、最大寸法１．２ｍｍ以下とするのが好ましい。これにより、光取り出し構造がない部分の面積を広くとることができるので、シースルー性を向上させることができる。
【００２５】
また、光反射部は光を殆ど透過しないため、光反射部の平面の大きさが最大寸法１．２ｍｍよりも大きい場合には各光反射部が視認され易くなる。これに対して、光反射部の平面の大きさを最大寸法１．２ｍｍ以下とすることによって、各光反射部が視認され易くなるのを防止することができる。
【００２６】
本発明の照明装置では、前記光反射部における導光部材への被覆率は、２０％以下であることが好ましい。
【００２７】
光反射部は光を殆ど透過しないため、被覆率が大きくなると光取り出し構造が視認され易くなり、シースルー性が低下する。この点、光反射部における導光部材への被覆率を２０％以下にすることによって、光取り出し構造が視認され難くなり、シースルー性が向上する。
【００２８】
本発明の照明システムは、上記課題を解決するために、上記記載の照明装置を備えた照明システムであって、照明装置は、照明の主対象となる照明空間と、該照明空間以外の空間である非照明空間とを仕切るように配置されており、導光部材の第１の面は、上記非照明空間に対向している一方、上記導光部材の第２の面は、上記照明空間に対向していることを特徴としている。
【００２９】
上記の発明によれば、導光部材の第１の面は非照明空間に対向している一方、導光部材の第２の面は照明空間に対向している。このため、導光部材の内部を導光され、導光部材の第１の面に形成された光反射部にて反射された光は、導光部材から第２の面を介して照明空間に出射される。このため、第２の面側つまり照明空間側へと出射される光の光量を多くすることができる。
【００３０】
したがって、照明の主対象となる照明空間への出射効率を向上させることができるので、光源から出射された光の利用効率を向上させることができる。
【００３１】
本発明の照明システムでは、前記照明装置は、建造物の窓に取り付けられる窓照明装置として機能するものであり、前記照明空間は、建造物の内部に設けられた部屋の室内であり、前記非照明空間は、上記部屋の室外であることが好ましい。
【００３２】
これにより、照明の主対象となる照明空間である部屋の室内への出射効率を向上させることができる。
【発明の効果】
【００３３】
本発明の照明装置は、以上のように、導光部材の第１の面には、該導光部材の内部にて導光される光を取り出すための光取り出し構造である複数の光反射部が散在して設けられているものである。
【００３４】
また、本発明の照明システムは、以上のように、上記記載の照明装置を備えた照明システムであって、照明装置は、照明の主対象となる照明空間と、該照明空間以外の空間である非照明空間とを仕切るように配置されており、導光部材の第１の面は、上記非照明空間に対向している一方、上記導光部材の第２の面は、上記照明空間に対向しているものである。
【００３５】
それゆえ、簡易な構造で、光源から出射された光の所定の方向への出射効率を向上させ得る照明装置及び照明システムを提供するという効果を奏する。
【図面の簡単な説明】
【００３６】
【図１】（ａ）は本発明における照明装置の実施の一形態を示すものであって、照明装置としての照明モジュールの構成を示す断面図であり、（ｂ）は上記照明モジュールの光反射パターンの反射率による導光板の第１の面側（屋外側）と第２の面側（屋内側）との出射光の光量比の解析結果を示す説明図である。
【図２】（ａ）は上記照明モジュールの要部構成を示す断面図であり、（ｂ）は上記照明モジュールの全体構成を示す正面図である。
【図３】上記照明モジュールにおけるＬＥＤ近傍の構成を示す要部断面図である。
【図４】（ａ）は上記照明モジュールの導光板断面におけるＬＥＤの非点灯時における光線の進み方を示す断面図であり、（ｂ）は上記照明モジュールの導光板断面におけるＬＥＤの点灯時における光線の進み方を示す断面図である。
【図５】（ａ）（ｂ）は、本発明における照明装置の他の実施の形態を示すものであって、照明装置を天窓に使用した場合の照明システムの構成を示す断面図である。
【図６】本発明における照明装置のさらに他の実施の形態を示すものであって、照明装置をドアに使用した場合の照明システムの構成を示す正面図である。
【図７】（ａ）は従来の照明システムの構成を示す断面図であり、（ｂ）は上記従来の照明システムにおける照明装置の構成を示す断面図である。
【図８】従来の他の照明装置の構成を示す要部断面図である。
【発明を実施するための形態】
【００３７】
〔実施の形態１〕
本発明の一実施形態について図１〜図４に基づいて説明すれば、以下のとおりである。
【００３８】
本発明の照明装置は、住宅用玄関ドア等の各種ドア、又は店舗用若しくは各種施設用のドアに組み込むことが可能である。また、ドア以外には、パーティション（間仕切り）等の住宅用建材、建造物の壁面、建造物の床面、戸棚若しくはキッチン収納等の家具、天窓等の窓、門柱、表札、又はフェンス、サイン、掲示板、誘導灯若しくは手すり等の公共向けエクステリアに組み込むことが可能である。
【００３９】
以下では、特に、本発明の照明装置の一実施形態として、天窓又はドアに取り付けられる照明装置としての照明モジュール１について説明する。
【００４０】
尚、上記照明装置が組み込まれる構造体は、該構造体の外側から内側へ、又はその逆方向へ光を導くことが要求される構造体であればよい。また、複数の照明モジュール１を組み合わせて上記構造体を形成してもよい。さらに、照明モジュール１は、レールを有する窓枠にはめ込まれ、該レールに沿って移動可能な窓用部材として実現されてもよい。
【００４１】
〔照明モジュールの構成〕
本実施の形態の照明モジュール１の構成について、図２（ａ）（ｂ）に基づいて説明する。図２（ａ）は、上記照明モジュール１の構成の一例を示すものであって、照明モジュール１の要部構成を示す断面図であり、図２（ｂ）は照明モジュール１の全体構成を示す正面図である。
【００４２】
照明モジュール１は、図２（ａ）（ｂ）に示すように、内部の中心に設けられた導光部材としての導光板２と、この導光板２の表面及び裏面を保護するために設けられた保護用ガラス３ａ・３ｂと、光源としてのＬＥＤ（Light Emitting Diode：発光ダイオード）４と、ＬＥＤ４が設けられた部分を保持する保持部材５・５と、照明モジュール１全体を支持するフレーム６・６と、ＬＥＤ４の基板回路を有するベース部７とを備えている。
【００４３】
本実施の形態では、照明モジュール１は例えば矩形状であり、その大きさは、例えば、鉛直方向（高さ方向：ｘ方向）の長さが６００ｍｍ、水平方向（横方向：ｙ方向）の長さが６００ｍｍ、厚み（ｚ方向）が３９ｍｍである。ただし、これに限られない。すなわち、照明モジュール１の大きさ及び形状は、該照明モジュール１が取り付けられる天窓又はドアの大きさ、その設置場所等に合わせて設定されていればよい。例えば、照明モジュール１の形状は、円形状、楕円形状であってもよい。尚、照明モジュール１が備える各部材の大きさ及び形状も、以下に示す大きさ及び形状に限定されるものではない。
【００４４】
上記照明モジュール１では、ＬＥＤ４から出射された光は導光板２によって導光され、導光板２の２つの表面である第１の面２ａ及び第２の面２ｂにそれぞれ対向する保護用ガラス３ａ・３ｂから照明モジュール１の外部へと出射されるようになっている。ただし、後述するように、第２の面２ｂに多く出射されるようになっている。
【００４５】
以下では、照明モジュール１の各部の詳細構造について説明する。
【００４６】
〔導光板〕
最初に、導光板２の構造について、図３に基づいて説明する。図３は導光板２の詳細構造を示すものであって、図２（ａ）のＰにて示す部分を拡大して示す断面図である。
【００４７】
導光板２は、図３に示すように、例えば方形の板体からなっており、１つの表面である第１の面２ａと、第１の面２ａとは反対側の表面である第２の面２ｂとを有している。
【００４８】
導光板２の大きさは、本実施の形態では、水平方向の長さについては、照明モジュール１の水平方向の長さと略同じであるが、その鉛直方向の長さについては、その端部の近傍にＬＥＤ４が配置されるため、そのＬＥＤ４の配置場所確保分だけ、照明モジュール１の鉛直方向の長さよりも小さく設計されている。また、導光板２の厚みは例えば３ｍｍであるが、これに限定されるものではない。
【００４９】
尚、導光板２の形状は、照明モジュール１の形状にあわせて自由に設定できる。また、第１の面２ａ及び第２の面２ｂも自由に設定可能であり、例えば矩形以外の多角形、円形等であってもよい。さらに、導光板２は、必ずしも面内での厚みが一様な平板でなくてもよく、また、湾曲していてもよい。
【００５０】
導光板２は、透光性を有する材料からなっている。ここで、導光板２が有する透光性とは、光を通すつまり透過することを意味し、導光板２が必ずしも透明体であることを意味するものではない。したがって、導光板２は、光を透過さえすれば、その外観が例えば乳白色に見えてもよい。本実施の形態では、ＬＥＤ４の非点灯時において、導光板２は、可視光に対して９０％程度の透過率を有しているので、採光性が高い照明モジュール１を実現できる。
【００５１】
上記導光板２の材質は、例えば、メタクリル樹脂又はアクリル系樹脂からなる有機ガラスを含むガラス材が挙げられる。その他、ポリカーボネート系樹脂、ポリエステル系樹脂、塩化ビニル系樹脂等の透過率の高い合成樹脂を使用することができる。
【００５２】
図３に示すように、導光板２の端部、つまり導光板２の第１の面２ａ及び第２の面２ｂ以外の側面の端面における近傍にはＬＥＤ４が配置されており、該ＬＥＤ４から出射された光が導光板２の該端部から入光するようになっている。このような入光方式は、一般的にサイド入光と称されている。
【００５３】
導光板２では、ＬＥＤ４から出射された光をその内部に入射させて導光し、第１の面２ａ及び第２の面２ｂから出射させる。すなわち、第１の面２ａ及び第２の面２ｂは、ＬＥＤ４からの光を出射する出射面として機能する。ここで、本実施の形態の照明モジュール１では、導光板２内を導光する光を第２の面２ｂに多く取り出す手段として、光反射部としての光反射パターン８が第１の面２ａに設けられている。
【００５４】
〔光反射パターン〕
ここで、本実施の形態の照明モジュール１における複数の散在する光反射パターン８について、図１（ａ）に基づいて説明する。図１（ａ）は、本実施の形態の照明装置としての照明モジュールの構成を示す断面図である。
【００５５】
本実施の形態では、図１（ａ）に示すように、各光反射パターン８…は、導光板２における光出射面二面のうちの第１の面２ａに設けられている。尚、光反射パターン８は、単に照明モジュール１として使用する場合は、導光板２の光出射面二面である第１の面２ａ又は第２の面２ｂのいずれかに設けられていればよい。しかし、照明モジュール１を、例えば天窓又はドアに取り付ける場合には、室内側に光を多く出射させるために、室外側である導光板２の第１の面２ａに設けることが好ましい。
【００５６】
本実施の形態では、複数の光反射パターン８…が、導光板２の第１の面２ａに設けられている場合について説明する。
【００５７】
各光反射パターン８…は、可視光域の光を反射する材料にて構成されており、所望のパターン状に設けられている。ここで、パターンは特に限定されるものではなく、必要とされる照明装置の仕様に合うように設計されるものである。
【００５８】
例えば、発光面内の光量分布を略均一にする場合、ＬＥＤ４の近傍における光反射パターン８の被覆率が低く、導光板２のＬＥＤ４からの光を入光する端面と対向する面に向かうに伴って被覆率が高くなるように設けられる。また、導光板２の対向する入光端面の両端にＬＥＤ４が配置される両サイド入光の場合は、導光板２の中央に向かうに従って被覆率が高くなるように設けられる。
【００５９】
ここで、光反射パターン８の被覆率は、次のような方法にて調整することができる。
【００６０】
例えば、ドット状のパターンを用いる場合、同一サイズのドット状パターンにおける単位面積当たりのドット数を変化させて配置する方法、又はドット状パターンを等ピッチで配置し、各ドット状パターンのサイズを変化させて調整する方法等が考えられる。
【００６１】
また、ライン状のパターンを用いる場合、同一線幅のライン状パターンを配置すると共に、各ライン状パターンの間隔を変化させる方法、又はライン状パターンの配置は等ピッチで行い、各ライン状パターンの線幅を変化させて配置する方法等が考えられる。
【００６２】
上記の説明では、ドット状パターン及びライン状パターンについて説明したが、パターンの形状はこれに限定されるものではなく、四角形や星型、蛇行ライン等であってもよい。
【００６３】
尚、本実施の形態の照明装置としての照明モジュール１を窓照明として用いる場合には、照明モジュール１を介した先の景色が見える必要がある。このため、光反射パターン８の総被覆率は小さい方が好ましく、２０％以下であることが好ましい。また、光反射パターン８一つのサイズも小さい方が視認し難くなるため、φ１．２ｍｍ以下であることが好ましい。
【００６４】
次に、光反射パターン８を形成する方法としては、光反射性の粒子を含むインクが所望パターンに印刷されていてもよいし、インクジェット技術によって導光板２に吐出印刷されていてもよい。また、白色塗料をマスキングにより所望パターンに塗られていてもよい。さらに、光反射性のプラスチック材料をレーザー溶着や透明な光学接着材等によって導光板２に所望パターンに貼り付けられていてもよい。或いは、光反射性を有する金属膜が、蒸着等によって所望パターンのマスクを介して形成されていてもよい。また、導光板２に蛍光体塗料が塗布されていてもよい。
【００６５】
光反射パターン８の材料としては、銀、アルミニウム、炭酸マグネシウム、硫酸バリウム若しくは酸化アルミ等の金属材料、又は白色のＰＣ（ポリカーボネート）、ＰＭＭＡ（アクリレート）、ＰＥＴ（ポリエチレンテレフタレート）等が考えられる。これらは、金属蒸着材料や粒子状材料をインク塗料に含ませて用いることができる。
【００６６】
〔保護用ガラス〕
導光板２の両面には、導光板２を保護する保護用ガラス３ａ・３ｂが設けられている。具体的には、保護用ガラス３ａは、第１の面２ａに対向して配置され、第１の面２ａを保護する。また、保護用ガラス３ｂは、第２の面２ｂに対向して配置され、第２の面２ｂを保護する。すなわち、保護用ガラス３ａ・３ｂは、導光板２の第１の面２ａ及び第２の面２ｂに略平行に設けられた、導光板２を保護するための一対の平板である。尚、導光板２と同様、保護用ガラス３ａ・３ｂは必ずしも平板である必要はない。
【００６７】
上記保護用ガラス３ａ・３ｂは、例えば接着剤や両面テープ等により、緩衝部材５ａを介して保持部材５及びフレーム６に対して固定されている。また、保護用ガラス３ａ・３ｂは、保持部材５及びフレーム６によって固定される。
【００６８】
上記の構成により、導光板２は、照明モジュール１の外部に露出することがない。その結果、外部からの例えば風雨等の衝撃によって傷が入ったり、吸湿によって導光板２の特性変化が生じたりする等に起因して導光板２が破損することを防ぐことができる。また、外部からの埃の侵入によって導光板２から出射される光の出射効率が低下することを防ぐことができる。すなわち、照明モジュール１の外部からの影響を抑制し、導光板２の耐衝撃性及び利便性を向上させることができる。
【００６９】
また、保護用ガラス３ａ・３ｂは、導光板２を挟むように対向する位置に設けられ、かつ平板であるため、照明モジュール１の設置スペースの縮小化を図ることができる。
【００７０】
保護用ガラス３ａ・３ｂは、透光性又は透明性を有している。それゆえ、導光板２から出射された光を照明モジュール１の外部に出射することができる。
【００７１】
保護用ガラス３ａ・３ｂの材質は、透光性又は透明性を有するものであればよく、例えば導光板２と同じ材質を使用できる。ただし、導光板２の保護つまり耐衝撃性及び耐久性の観点からいえば、ガラス材又はポリカーボネート樹脂からなることが好ましい。ガラス材である場合、窓としての使用環境を想定すると強化ガラスや網入りガラス等、耐衝撃性を有するものである方がより好ましい。尚、ガラス材からなる保護用ガラス３ａ・３ｂは、カバーガラスと称することもできる。
【００７２】
また、本実施の形態では、保護用ガラス３ａ・３ｂの大きさは、照明モジュール１全体の大きさと略同一であり、その厚みは例えば３ｍｍである。
【００７３】
さらに、保護用ガラス３ａ・３ｂは、例えば、ＵＶ（UltraViolet：紫外線）又はＩＲＩＲ（infrared：赤外線）等をカットする機能を有していてもよい。また、ガラス破損時に破片の飛散を抑制するフィルムを有していてもよい。これらの機能を有する場合、より実用的な照明モジュール１を実現することができる。この場合、例えば、保護用ガラス３ａ・３ｂに、上記機能を有する物質を蒸着させたり、又は上記機能を有するフィルムを貼り付けたりすることにより、保護用ガラス３ａ・３ｂに上記機能を持たせることができる。
【００７４】
〔ＬＥＤ〕
ＬＥＤ４は、照明モジュール１の光源として機能する。ＬＥＤ４は、図２（ａ）及び図３に示すように、導光板２の端部の近傍に設けられており、その発光面の向き（光の出射方向）が導光板２側を向くように配置されている。本実施の形態では、ＬＥＤ４の発光面は下面であり、ＬＥＤ４は基板９の上に備えられ、基板９は、ＬＥＤ４が載置された面と反対側の面がベース部７に固定されている。ＬＥＤ４、基板９及びベース部７は、例えば接着剤又は両面テープ等によって固定されている。尚、発光面の向きが導光板２側を向くようにＬＥＤ４が配置されていれば、サイド出射型の発光ダイオードであってもよい。この場合、ＬＥＤ４が載置された基板９は、保持部材５・５又は導光板２自体に固定される。
【００７５】
ＬＥＤ４には、図示しない配線又はコネクタによって基板９を介して電力供給される。
ＬＥＤ４が載置される基板９に関し、ＬＥＤ４が実装されている面つまり導光板２が載置される側の面は、ＬＥＤ４から出射された光を効率的に反射させて導光板２に結合させるためにつまり光結合効率の向上を図るために、白色であることが好ましい。この場合、一般的に白色レジスト等が施される。尚、ＬＥＤ４の実装面は、ＬＥＤ４から出射された光を効率的に反射させることが可能であれば、白色である必要は必ずしもなく、その他の明色であってもよい。
【００７６】
また、上記光結合効率の向上を図るために、ＬＥＤ４の発光面の周辺部位、すなわちＬＥＤ４の周辺に位置する保持部材５の一部に、反射性を有するシート等が貼り付けられていることがより好ましい。反射性を有するシートは、ＰＥＴ（ポリエチレンテレフタレート）やＰＣ（ポリカーボネート）等からなり、外観が白く、高い光反射率を有するものが好ましいが、金属が蒸着された鏡面のものであってもよい。さらに言えば、保持部材５に光反射率が高い部材を用いてもよい。
【００７７】
尚、ＬＥＤ４は、導光板２の上端部、つまり照明モジュール１が鉛直方向に載置されたときの鉛直上側の側面と対向するように設けられる必要は必ずしもなく、照明モジュール１の用途に応じて、導光板２の下端部つまり鉛直下側の側面、若しくは側端部（上端部及び下端部以外の両端部）の一方、又はその全端部（全端面）と対向するように設けられてもよい。この場合、最大で、導光板２の４辺からＬＥＤ４からの光を導入することができる。このように、適宜最適な入光位置を選択することが可能である。
【００７８】
また、ＬＥＤ４から出射された光を、導光板２に確実に導入できるのであれば、ＬＥＤ４が照明モジュール１に備えられていなくてもよく、例えば、照明モジュール１が取り付けられる建造物、具体的には建造物の屋根若しくはドア、又はドアが取り付けられるドア枠等に設けられていてもよい。
【００７９】
また、照明モジュール１の光源としてはＬＥＤ４に限られないが、電力消費が少なく長寿命である点を考慮すれば、発光ダイオードであることが好ましい。
【００８０】
〔保持部材〕
保持部材５は、導光板２を挟持すると共に、保護用ガラス３ａ・３ｂを固定することによって、これらの部材を、照明モジュール１の外枠を構成するフレーム６及びベース部７に保持するものである。保持部材５と導光板２及び保護用ガラス３ａ・３ｂとは、例えば接着剤や両面テープ等で固定されている。尚、導光板２及び保護用ガラス３ａ・３ｂの所定の位置にネジ孔を設け、ネジを締め付けることによりこれらの部材を固定してもよい。
【００８１】
また、図３に示すように、本実施の形態では、保持部材５によって、導光板２及び保護用ガラス３ａ・３ｂのそれぞれの端部が互いに固定されている。端部を固定することにより、第１の面２ａ及び第２の面２ｂ、並びに、これらに対向する保護用ガラス３ａ・３ｂの面からの光の進行が妨げられるのを防ぐことができる。すなわち、これらの面から出射される光の出射効率を低下させることなく、これらの部材を固定することができる。尚、図３では、導光板２及び保護用ガラス３ａ・３ｂの下端部を固定しているが、これに限らず、いずれの端部を固定してもよい。また、出射効率を考慮しなければ、端部で固定されていなくてもよい。
【００８２】
ここで、導光板２と、保護用ガラス３ａ・３ｂとがそれぞれ接するように配置された場合、いかに精密に固定したとしても、導光板２と、保護用ガラス３ａ・３ｂとのそれぞれの間に微小な凹凸が形成されたり、その貼り合わせ時に、その間に気泡が挟まってしまったりする可能性が高い。つまり、導光板２と、保護用ガラス３ａ・３ｂとを完全に密着させることができず、部材間に僅かな間隙ができてしまい、この間隙、つまり密着度の不均一性に起因した干渉縞又は光散乱が生じてしまう可能性が高い。この場合、照明モジュール１から出射される光の均一性が損なわれてしまう。
【００８３】
本実施の形態では、図３に示すように、保持部材５による固定により、導光板２と保護用ガラス３ａとが離間して設けられていると共に、導光板２と保護用ガラス３ｂとが離間して設けられている。すなわち、導光板２と、保護用ガラス３ａ・３ｂとのそれぞれの間には、空気層からなる間隔Ｓが形成されている。この構成により、上述のような光の均一性が損なわれることを防ぐことができる。
【００８４】
この離間した上での保持部材５による固定を実現するために、本実施の形態では、保持部材５の形状は、その側面断面において、その中央付近が水平方向（図２（ａ）（ｂ）のｙ方向）に延伸した形状となっている。
【００８５】
尚、上記光の均一性を考慮しなければ、保持部材５の形状は、導光板２、保護用ガラス３ａ・３ｂを保持できる形状であればよい。その大きさについても同様である。また、保持部材５を設けず、例えば接着剤や両面テープ等により、導光板２と保護用ガラス３ａ・３ｂとを、保護用ガラス３ａ・３ｂとフレーム６とを、それぞれ直接貼り付けて固定してもよい。
【００８６】
保持部材５の材質としては、不燃性の観点から言えば金属であることが好ましい。その中でも、軽量性及び放熱性の観点から言えば、アルミニウムがより好ましい。これらの点を考慮しなければ、例えばアクリル樹脂等、導光板２、保護用ガラス３ａ・３ｂを保持することが可能な材質であれば、特に限定されるものではない。
【００８７】
〔緩衝部材〕
また、導光板２と保持部材５との間、保持部材５と保護用ガラス３ａ・３ｂとの間には、ゴム質又は発泡性の緩衝部材５ａを介在させることが好ましい。例えば、シリコーンゴム又は商品名「ＰＯＲＯＮ（登録商標）（株式会社ロジャースイノアック製）」のウレタンフォーム等がある。これにより、導光板２、保護用ガラス３ａ・３ｂを傷つけることなく、保持部材５がこれらの部材を保持するのに十分な力を、当該部材に与えることができる。すなわち、導光板２及び保護用ガラス３ａ・３ｂを、保持部材５によって確実に固定することができる。
【００８８】
〔フレーム〕
フレーム６は、照明モジュール１の外周部に、少なくとも保護用ガラス３ａ・３ｂを囲むように設けられており、保護用ガラス３ａ・３ｂをフレーム６と保持部材５により挟持及び保持している。また、フレーム６と保護用ガラス３ａ・３ｂそれぞれとの間に、シール材を介在させることによって照明モジュール１を密封構造とすることにより、照明モジュール１の耐環境性能を向上することができる。また、照明モジュール１を密封構造とすることにより、室内（屋内）等の特定空間の断熱効果を高めることができる。
【００８９】
フレーム６の材質は、不燃性の観点から言えば、保持部材５と同様、金属であることが好ましく、軽量性及び放熱性の観点から言えば、その中でも特にアルミニウムが好ましい。
【００９０】
〔ベース部〕
ベース部７は、保持部材５及び基板９が設置・固定される部材である。すなわち、保持部材５を介して、導光板２、保護用ガラス３ａ・３ｂがベース部７に固定されると共に、基板９を介してＬＥＤ４がベース部７に固定される。
【００９１】
ベース部７の材質も、フレーム６と同様、金属、特にアルミニウムであることが好ましい。尚、ベース部７は、フレーム６と別体ではなく、フレーム６の一部であってもよい。
【００９２】
〔照明モジュールにおける光の出射方向〕
上述したように、本実施の形態の照明モジュール１は、ＬＥＤ４と、互いに対向する第１の面２ａ及び第２の面２ｂを有してＬＥＤ４から出射された光を導光して第１の面２ａ及び第２の面２ｂから出射する導光板２とを備えている。このため、導光板２を導光する光は、導光板２の表面に略平行方向に進行し、導光板２の表面で全反射を繰り返して導光板２を進行する。そして、第１の面２ａに設けられた光取り出し構造としての光反射パターン８によって全反射条件が崩れ、第２の面２ｂから出射される。
【００９３】
ここで、光取り出し構造は、導光する光の光路を変換して導光板２の外部に光を取り出す構造のことである。例えば、光取り出し構造を導光板２の１つの表面である第１の面２ａに透明性の高い凹凸にて形成した場合、光取り出し構造での散乱により光路が変換され、反対側の面である第２の面２ｂから光を取り出すことができる。このとき、同時に全反射条件が崩れることから、光取り出し構造の部分を透過して、１つの表面である第１の面２ａにも光が漏洩する問題が発生する。この問題は、液晶表示装置のように光反射部の裏面つまり第１の面２ａに対向して全面光反射板を配置可能な場合は問題とならない。しかし、窓照明の場合は、シースルー性を確保する必要があることから、全面光反射板を導光板２の裏面である第１の面２ａに配置することができず、第１の面２ａへの光利用率が低下する問題が発生する。
【００９４】
そこで、本実施の形態では、光取り出し構造である複数の光反射パターン８を導光板２の１つの表面つまり裏面である第１の面２ａに設けて、光取り出し構造に反射性を持たせている。これにより、光が光取り出し構造を透過して導光板２の１つの表面つまり裏面である第１の面２ａに漏洩することなく、効率よく第２の面２ｂから光出射することができる。
【００９５】
すなわち、光り取り出し構造を複数の光反射パターン８とすることによって、光取り出し構造の面積当たりの光取り出し量を増加させ、光取り出し構造のサイズを小さくすることができる。この結果、光取り出し構造がない部分の面積を広くとることができるため、シースルー性を向上させることができる。
【００９６】
上記構成の照明モジュール１における導光板２でのＬＥＤ４の非点灯時と点灯時との光線の進み方について、図４（ａ）（ｂ）に基づいて説明する。図４（ａ）はＬＥＤ４の非点灯時における導光板２の光線の進み方を示す断面図であり、図４（ｂ）はＬＥＤ４の点灯時における導光板２の内部における光線の進み方を示す断面図である。尚、図４（ａ）（ｂ）では、簡略化のために保護用ガラス３ａ・３ｂ等を省略している。
【００９７】
ＬＥＤ４の非点灯時には、図４（ａ）に示すように、第１の面２ａに太陽光等の外光が照射されると、外光は導光板２の内部を透過して第２の面２ｂから出射する。
【００９８】
一方、ＬＥＤ４の点灯時には、図４（ｂ）に示すように、導光板２は前記ＬＥＤ４から出射された光を導光し、導光板２の第１の面２ａに設けられた光反射パターン８によって導光板２の外部へと取り出される。後述するように、該光は、図４（ｂ）に示すように、導光板２の第１の面２ａに設けられた光反射パターン８によって、多くの光が第２の面２ｂ側へと出射される。この結果、照明モジュール１は、ＬＥＤ４の非点灯時には採光窓として機能する一方、ＬＥＤ４の点灯時には、照明モジュール１の第２の面２ｂ側を照明することができる。
【００９９】
〔出射光量について〕
次に、図１（ｂ）に基づいて、ＬＥＤ４の点灯時における照明モジュール１の出射光量について説明する。図１（ｂ）は、照明モジュール１における光反射パターン８の反射率による導光板２の第１の面２ａ側（屋外側）と第２の面２ｂ側（屋内側）との出射光の光量比の解析結果を示す説明図である。
【０１００】
本実施の形態の照明モジュール１は、照明の主対象となる照明空間と、当該照明空間以外の空間である非照明空間とを仕切るように配置されることを前提としている。例えば、建造物の屋内又は室内側が照明空間とし、その屋外又は室外側が非照明空間とする場合には、照明モジュール１は、その屋内外又は室内外を仕切るように配置される。また、光反射パターン８が導光板２の第１の面２ａに設けられる場合、導光板２の第１の面２ａと対向する保護用ガラス３ａの面が非照明空間に接する（非照明空間を向く）ように、導光板２の第２の面２ｂと対向する保護用ガラス３ｂの面が照明空間と接する（照明空間を向く）ように配置される。すなわち、照明モジュール１は、導光板の第１の面２ａ及び第２の面２ｂのうち、光反射パターン８が設けられた導光板２の第１の面２ａ側が、非照明空間となるように配置される。
【０１０１】
上述のように、照明モジュール１が配置される理由は、以下のとおりである。
【０１０２】
すなわち、図４（ｂ）に示すように、ＬＥＤ４の点灯時において、導光板２から出射される出射光は、上述のように導光板２の第１の面２ａに設けられた光反射パターン８によって反射及び拡散される。ここで、光反射パターン８の光学特性によって、つまり反射率及び透過率によって、導光板２の第１の面２ａ側と第２の面２ｂ側に出射光の光量が異なってくるためである。
【０１０３】
具体的には、図１（ｂ）に示すように、光反射パターン８の光学特性として、第１の面２ａと第２の面２ｂとの光出射面の光量比は、反射率６０％つまり透過率４０％のときに、光出射面二面間の光量比は、およそ１：１である。また、各光反射パターン８の反射率１００％つまり不透過としたとき、光出射面二面間の光量比は、およそ１：９．６となる。尚、ここでは、光反射パターン８での吸収は考慮していない。
【０１０４】
この結果、光反射パターン８の光学特性として、反射率が高くなる程、導光板２の第２の面２ｂ側に出射される光量を高くすることができ、かつ第１の面２ａ側への出射光量を抑制することができるる。したがって、導光板２の光出射面二面間の光量比を大きくすることができる。すなわち、非照明空間側に出射される光損失を少なくすることができる。
【０１０５】
このように、本実施の形態の照明モジュール１では、ＬＥＤ４からの光は導光板２の内部に導かれて導光及び伝搬し、導光板２の第１の面２ａに設けられた光反射パターン８によって、拡散及び反射される。このため、光の多くは導光板２の第２の面２ｂ側へと出射される。それゆえ、導光板２に微細加工を行ったりすることなく、簡易な構造で、ＬＥＤ４から出射された光の所定の方向への出射効率を向上させることができ、該光の利用効率を向上させることができる。
【０１０６】
また、本実施の形態の照明モジュール１では、導光板２の第１の面２ａには、導光板２の内部にて導光される光を取り出すための光取り出し構造である複数の光反射パターン８が散在して設けられている。
【０１０７】
これにより、光が光反射パターン８を透過して導光板２の１つの表面つまり裏面である第１の面２ａに漏洩することなく、効率よく第２の面２ｂから光出射することができる。
【０１０８】
すなわち、光り取り出し構造を複数の散在する光反射パターン８とすることによって、光取り出し構造の面積当たりの光取り出し量を増加させ、光取り出し構造のサイズを小さくすることができる。この結果、光取り出し構造がない部分の面積を広くとることができるため、シースルー性を向上させることができる。
【０１０９】
このため、ＬＥＤ４の点灯時において、照明空間側を非照明空間側よりも明るく照明することができる。
【０１１０】
したがって、簡易な構造で、照明空間側の出射効率を向上させ、延いては光源から出射された光の利用効率を向上させ得る照明モジュール１を提供することができる。
【０１１１】
また、本実施の形態の照明モジュール１では、光反射パターン８は、反射率が６０％以上である。これにより、光の反射率が少なくとも６０％以上のときに、導光板２の裏面である第１の面２ａへの光漏れの量よりも表面である第２の面２ｂへの光出射量が大きくなり、光利用率が向上する。
【０１１２】
また、本実施の形態の照明モジュール１では、光反射パターン８は、光反射性の粒子を含むインク塗膜、光反射性の粒子を含む白色塗膜、光反射性の金属膜、又は光反射性のプラスチック材料からなっている。これにより、簡単な構成にて光取り出し構造を形成することができる。また、塗料を吹き付けたり、又は金属膜若しくはプラスチック材料を貼り付けたりするだけでよいので、施工も容易である。
【０１１３】
また、本実施の形態の照明モジュール１では、各光反射パターン８の平面の大きさは、最大寸法１．２ｍｍ以下である。
【０１１４】
上述したように、光り取り出し構造を複数の光反射パターン８とすることによって、光取り出し構造の面積当たりの光取り出し量を増加させ、光取り出し構造のサイズを小さくすることができる。この場合、各光反射パターン８の平面の大きさは、最大寸法１．２ｍｍ以下とするのが好ましい。これにより、光取り出し構造がない部分の面積を広くとることができるので、シースルー性を向上させることができる。
【０１１５】
また、光反射パターン８は光を殆ど透過しないため、光反射パターン８の平面の大きさが最大寸法１．２ｍｍよりも大きい場合には各光反射パターン８が視認され易くなる。これに対して、光反射パターン８の平面の大きさを最大寸法１．２ｍｍ以下とすることによって、各光反射パターン８が視認され易くなるのを防止することができる。
【０１１６】
また、本実施の形態の照明モジュール１では、光反射パターン８における導光板２への被覆率は、２０％以下である。
【０１１７】
すなわち、光反射パターン８は光を殆ど透過しないため、被覆率が大きくなると光取り出し構造が視認され易くなり、シースルー性が低下する。この点、光反射パターン８における導光板２への被覆率を２０％以下にすることによって、光取り出し構造が視認され難くなり、シースルー性が向上する。
【０１１８】
また、本実施の形態の照明モジュール１では、導光板２と、保護用ガラス３ａ・３ｂとを備え、導光板２の第１の面２ａの対向する位置に保護用ガラス３ａが設けられ、第２の面２ｂの対向する位置に保護用ガラス３ｂが設けられている。
【０１１９】
この結果、導光板２に傷が入ること、並びに周囲環境による特性変化、及び埃の侵入による出射効率の低下等を防ぐことができる、したがって、導光板２の耐衝撃性及び利便性を向上させることができる。
【０１２０】
〔実施の形態２〕
本発明の他の実施の形態について図５（ａ）（ｂ）及び図６（ａ）（ｂ）に基づいて説明すれば、以下のとおりである。尚、本実施の形態において説明すること以外の構成は、前記実施の形態１と同じである。また、説明の便宜上、前記の実施の形態１の図面に示した部材と同一の機能を有する部材については、同一の符号を付し、その説明を省略する。
【０１２１】
本実施の形態では、実施の形態１の照明モジュール１を備えた照明システムについて説明する。尚、照明モジュール１を備えた照明システムは、例えば、照明モジュール１を住宅用玄関ドア等の各種ドア、又は店舗用若しくは各種施設用のドアに組み込むことが可能である。また、ドア以外には、パーティション（間仕切り）等の住宅用建材、建造物の壁面、建造物の床面、戸棚若しくはキッチン収納等の家具、天窓等の窓、門柱、表札、又はフェンス、サイン、掲示板、誘導灯若しくは手摺り等の公共向けエクステリアに組み込むことが可能である。
【０１２２】
本実施の形態では、特に、天窓又はドアに取り付けられる照明モジュール１を備えた照明システムについて説明する。
【０１２３】
〔照明モジュールが天窓に設けられた照明システム〕
最初に、照明モジュール１が天窓に備えられた照明システム１０の具体的構成について、図５（ａ）（ｂ）に基づいて説明する。図５（ａ）は、照明モジュール１が天窓として設置された照明システム１０を示すものであって、照明モジュール１が消灯している状態を示す断面図であり、図５（ｂ）は照明モジュール１が点灯している状態を示す断面図である。
【０１２４】
照明システム１０は、図５（ａ）（ｂ）に示すように、照明モジュール１が天井１１（建造物の屋根、屋根部）に配設されており、図示しないが、前記保護用ガラス３ａは屋外側に位置し、保護用ガラス３ｂは屋内側に位置している。すなわち、照明システム１０は、建造物の窓に取り付けられる窓照明装置（天窓照明装置）として機能する。
【０１２５】
照明システム１０は、照明モジュール１における導光板２と前記保護用ガラス３ａ・３ｂとが透光性を有しているため、消灯時には採光を行う天窓として機能する。そのため、図５（ａ）に示すように、昼間は、太陽光を効率よく屋内に取り入れることができる。また、昼夜を問わず、屋外の景色を屋内から視認できる。特に夜間においては、夜空を観察することができる。
【０１２６】
一方、点灯時には、図５（ｂ）に示すように、照明モジュール１における導光板２がＬＥＤ４から出射された光を導光し、第１の面２ａ及び第２の面２ｂから出射するので、屋内照明として機能する。そのため、外光がない場合においても、屋内を照明することが可能になる。すなわち、照明システム１０は、天窓としての機能を果たしつつ、屋内を上方（屋根側）から効率よく照明することができる。
【０１２７】
また、光反射パターン８は導光板２の第１の面２ａに設けられているので、ＬＥＤ４から出射された光の屋外側への出射が抑制されると共に、屋内側への出射強度を高めている。そのため、照明モジュール１を屋内照明として利用してもロスは少ない。
【０１２８】
このように、照明システム１０では、照明モジュール１は、照明の主対象となる照明空間である建造物の屋内と、非照明空間である建造物の屋外とを仕切るように配置されている。そして、導光板２の第２の面２ｂは保護用ガラス３ｂを介して屋内に接していると共に、導光板２の第１の面２ａは保護用ガラス３ａを介して屋外に接している。
【０１２９】
それゆえ、前記図１（ｂ）に示したように、導光板２の内部を導光され、導光板２の第１の面２ａに形成された光反射パターン８にて反射された光は、導光板２から第２の面２ｂを介して照明空間に出射される。このため、第２の面２ｂ側つまり照明空間側へと出射される光の光量を多くすることができる。
【０１３０】
したがって、照明システム１０においては、天窓として使用される照明モジュール１によって、照明の主対象となる屋内への出射効率を向上させることができ、ＬＥＤ４から出射された光の利用効率を向上させることができる。
【０１３１】
また、本実施の形態の照明システム１０では、照明モジュール１は、建造物の窓に取り付けられる窓照明装置として機能するものであり、照明空間は、建造物の内部に設けられた部屋の室内であり、非照明空間は、上記部屋の室外である。これにより、照明の主対象となる照明空間である部屋の室内への出射効率を向上させることができる。
【０１３２】
また、照明システム１０では、照明モジュール１が天窓として使用される場合、室内で使用される場合に比べ、導光板２は、気温、湿度等の変動、風雨等等による影響を受け易い。しかし、照明システム１０では、屋外と接する側に保護用ガラス３ａを設けているため、導光板２を確実に保護することができる。すなわち、照明システム１０は、外部から衝撃が加えられる照明モジュールに好適に利用できる。
【０１３３】
また、本実施の形態の照明システム１０では、照明モジュール１の構成が簡単であるので、照明システム１０の構成も簡単となる。したがって、従来の特許文献１に開示された照明装置１００のように、導光板の上面に配置された天窓が複雑な斜面構造となっており、天窓を含めた照明装置としての構造が複雑な構造となることはない。
【０１３４】
尚、照明システム１０は、図５（ａ）（ｂ）に示す住宅用の天窓としてだけでなく、一般商業施設の天窓や、公共施設の天窓、その他の窓等、昼間の採光と夜間の照明の効果が必要とされる部位に採用することができる。
【０１３５】
例えば、シースルー型の太陽電池を照明モジュール１に対して屋外側に設置又は貼付を行うことによって、昼間は採光及び発電を行い、夜間は昼間の発電電力を用いて照明として用いることができる。さらに、屋外側へ漏れ出る損失光を太陽電池にて回収することによって、低消費電力に寄与することが可能になる。
【０１３６】
また、例えば、洗面台及び浴室等に設置されている鏡の全部又は一部に照明モジュール１を貼り付けることが可能である。これにより、消灯時は透明のために通常の鏡として機能を阻害することはない。さらに、点灯時においては貼り付け部が面照明として機能することによって、鏡にて視認したい部分を最も近い位置から光照射することが可能な照明としての機能を持たせることが可能になる。
【０１３７】
また、照明モジュール１が窓に取り付けられる窓照明装置である照明システム１０として機能する場合には、従来の窓の採光性つまり良好な採光性を維持しつつ、出射効率を向上させることができる。
【０１３８】
〔照明モジュールがドアに設けられた照明システム〕
次に、照明モジュール１がドアに使用された照明システム２０の具体的構成について、図６に基づいて説明する。図６は、照明モジュール１がドアに設置された照明システム２０（照明装置、窓照明装置）の構成を示す正面図である。
【０１３９】
図６に示すように、照明システム２０では、ドア２１はドア本体２２及びノブ２３を備え、さらに、ドア本体２２の所定の位置に、照明モジュール１を備えている。尚、ドア本体２２及びノブ２３は周知の構成であるので、その説明については割愛する。
【０１４０】
すなわち、照明システム２０は、窓照明装置として機能する。また、図示しないが、光反射パターン８が設けられた導光板２の第１の面２ａは屋外側又は室外側に位置している一方、これに対向する第２の面２ｂは屋内側又は室内側に位置している。
【０１４１】
ドア２１は、例えば建造物の玄関や勝手口、各部屋、廊下等に設けられている。したがって、照明システム２０は、玄関用又は勝手口用のドア２１に設けられる場合には、建造物の屋内及び屋外を仕切るように設置されており、各部屋又は廊下用のドア２１に設けられている場合には、建造物の内部に設けられた部屋の室内及び室外を仕切るように設置されているといえる。
【０１４２】
照明システム２０では、照明モジュール１は、消灯時には採光を行うドア用の窓として機能し、点灯時には屋内照明又は室内照明として機能する。そのため、外光がない場合においても、屋内又は室内を照明することが可能になる。さらに、光反射パターン８は導光板２の第１の面２ａに設けられているので、ＬＥＤ４から出射された光の屋外側へ又は室外側への出射が抑制されると共に、屋内側又は室内側への出射強度を高めている。そのため、照明モジュール１を屋内照明として利用してもロスは少ない。
【０１４３】
このように、照明システム２０では、照明モジュール１は、照明の主対象となる照明空間と、該照明空間以外の空間である非照明空間とを仕切るように配置されており、導光板２の第１の面２ａは非照明空間に対向している一方、導光板２の第２の面２ｂは照明空間に対向している。そして、照明モジュール１は、建造物の窓に取り付けられる窓照明装置として機能するものであり、照明空間は、建造物の内部に設けられた部屋の室内であり、非照明空間は、部屋の室外である。
【０１４４】
これにより、ドア用の窓として使用される照明モジュール１は、照明の主対象となる照明空間である部屋の室内への出射効率を向上させることができ、ＬＥＤ４から出射された光の利用効率を向上させることができる。
【０１４５】
また、本実施の形態の照明システム２０では、照明モジュール１は、建造物の窓に取り付けられる窓照明装置として機能するものであり、照明空間は、建造物の内部に設けられた部屋の室内であり、非照明空間は、上記部屋の室外である。これにより、照明の主対象となる照明空間である部屋の室内への出射効率を向上させることができる。
【０１４６】
尚、照明システム２０では、照明モジュール１は必ずしもドア２１に取り付けられる必要はなく、例えば、建屋、戸棚等の窓として機能してもよい。
【０１４７】
尚、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１４８】
本発明の照明装置及び照明システムは、住宅用玄関ドア等の各種ドアと店舗用や各種施設用のドア、ドア以外の住宅用建材（パーティション（間仕切り）等）、建造物の壁面や床面、戸棚やキッチン収納等の家具、窓（天窓）、門柱、表札、また、公共向けエクステリア（フェンス、サイン、掲示板、誘導灯、手摺り）に組み込むことが可能である。
【符号の説明】
【０１４９】
１        照明モジュール（照明装置）
２        導光板（導光部材）
２ａ      第１の面
２ｂ      第２の面
３ａ      保護用ガラス
３ｂ      保護用ガラス
４        ＬＥＤ（光源）
５        保持部材
５ａ      緩衝部材
６        フレーム
７        ベース部
８        光反射パターン（光取り出し構造、光反射部）
１０        照明システム
１１        天井
２０        照明システム
２１        ドア
２２        ドア本体
２３        ノブ
【図１】
2014049260.tif 000003
【図２】
2014049260.tif 000004
【図３】
2014049260.tif 000005
【図４】
2014049260.tif 000006
【図５】
2014049260.tif 000007
【図６】
2014049260.tif 000008
【図７】
2014049260.tif 000009
【図８】
2014049260.tif 000010